(57)【要約】【課題】  例えば、１０歳といった年少者であっても、比較的に片手で扱いやすく、片手で模擬弾を発射しやすい模擬銃を提供する。【解決手段】  ハンマー３を引き下げることによりポンプ内にエアを導入するとともにスプリングを圧縮し、トリガーを引くことによりスプリングの圧縮を解除してエアを圧縮して、圧縮エアにより弾丸を発射する模擬銃１であって、ハンマー３は使用者が親指を載せる指載部３ａを有し、指載部３ａは、銃身の方向に対して垂直方向の幅が１４ｍｍ以上である。【選択図】図１
0003207942.tif 000002
【実用新案登録請求の範囲】
【請求項１】
ハンマーを引き下げることによりポンプ内にエアを導入するとともにスプリングを圧縮し、トリガーを引くことにより、前記スプリングの圧縮を解除して前記エアを圧縮して、圧縮エアにより弾丸を発射する模擬銃であって、
前記ハンマーは使用者が親指を載せる指載部を有し、当該指載部は、銃身の方向に対して垂直方向の幅が１４ｍｍ以上であることを特徴とする模擬銃。
【請求項２】
前記指載部は、前記銃身の方向に沿って縦長に構成されて、前記親指の腹を載置して前記ハンマーの引き下げが可能であることを特徴とする請求項１に記載の模擬銃。
【請求項３】
前記模擬銃は、前記弾丸を収納するシリンダーを有し、
当該シリンダーは当該シリンダーの銃口側に配されたヨーク及び当該シリンダーのハンマー側に配されたラッチに固定されたボルトを介して前記模擬銃本体の内部に軸支され、かつ、前記ラッチを前記銃口とは反対方向にスライドすることにより、前記ボルトを前記反対方向に退避させて前記ボルトによる前記シリンダーの軸支を解除して、前記ヨークを介して前記模擬銃本体の外部に移動可能に構成され、
前記ラッチ及び前記ボルトは、前記銃口の方向に対してバネによりともに付勢され、
当該バネの付勢力は、前記シリンダーが前記模擬銃本体の外部に位置した状態で、前記模擬銃のグリップを片手で握り、前記シリンダーが前記模擬銃本体の内部において前記軸支される位置の方向にスナップを効かせて手首を振ると、前記シリンダーが前記軸支される位置に向かってスイングしつつ、前記シリンダーの一部が前記ラッチに抵触して、当該ラッチ及び前記ボルトが前記銃口とは反対方向に押しのけられて退避し、前記軸支される位置において、前記シリンダーの一部の前記ボルト及び前記ラッチへの抵触がなくなることにより、前記ラッチ及び前記ボルトが前記銃口方向にスライドして、前記シリンダーを前記ボルトが軸支することが可能な付勢力であることを特徴とする請求項１又は請求項２に記載の模擬銃。
【請求項４】
前記シリンダーは、前記銃口方向とは反対側の面の回転中心部に前記ボルトが嵌挿されて回転可能に軸支される凹部を有し、かつ、前記ボルトは円柱状に構成された突部によって構成され、当該突部の側面の先端側が面取りされて構成されることを特徴とする請求項３に記載の模擬銃。
【考案の詳細な説明】
【技術分野】
【０００１】
本考案は、例えば、１０歳といった年少者であっても、比較的に片手で扱いやすく、片手で模擬弾を比較的に発射しやすい模擬銃に関する。
【背景技術】
【０００２】
エアガンと称される模擬銃としては、ハンマーを引き下げることによりポンプ内にエアを導入するとともに、スプリングを圧縮し、トリガーを引くことによりスプリングの圧縮を解除して、スプリングの蓄圧を開放することによりポンプ内のエアを圧縮して圧縮エアを生成し、この圧縮エアで模擬弾を発射するタイプが開示されている（特許文献１）。
【先行技術文献】
【特許文献】
【０００３】
【特許文献１】実公平７−２９４３５号公報
【考案の概要】
【考案が解決しようとする課題】
【０００４】
エアガンを始めとする模擬銃は、安全のため、条例等の法規により10歳以上への販売のみが認められることがあり、また、業界団体等の自主規制により、1８歳未満向けと、18歳以上向けというように対象年齢によって模擬銃の威力を規制している。特に上記特許文献１に開示されるような構成の模擬銃は、10歳以上を対象とする模擬銃にその構成が多々使用されている。
【０００５】
即ち、例えば、10歳というまだ力の弱い年齢層によって用いられるものであり、10歳といった力の弱い年齢層においては、ハンマーを引き下げ、スプリングを圧縮する動作に力を要するため、片指ではできず、両手の親指両方を用いてしなければならないことが多く、扱いづらい場合があった。
【０００６】
スプリングの強さを弱いものとすれば、その問題の解消も可能であるが、それでは模擬銃の威力も共に落ちるため、模擬銃自体の魅力が低下してしまう。
【０００７】
そのため、スプリングの強さを落とすことは、模擬銃の魅力の低下につながるため、可能な限り避けたいものの、年少者においては、片手でなるべく模擬銃を扱いたいという欲求がある。
【０００８】
即ち、年少者においては、映画、ドラマ、漫画等の登場人物のように、片手で模擬銃を軽やかに扱い、模擬弾を発射したいとい欲求がある。一方、実際の銃器（実銃）においては、実銃の重量や、弾丸の発射の際の反動により片手で実銃を扱うことは屈強な大人であっても困難であるばかりか、弾丸の命中精度を下げてしまうため、片手で実銃を操作することはあまりないのが実情である。
【０００９】
しかしながら、模擬銃においては、年少者のそれら映画等の登場人物への憧れから、自分も同様に片手で軽やかに模擬銃を扱いたいという要望（欲求）がある。
【００１０】
そこで本考案は、例えば、１０歳といった年少者であっても、比較的に片手で扱いやすく、片手で模擬弾を比較的に発射しやすい模擬銃を提供することを目的とする。
【課題を解決するための手段】
【００１１】
上記目的達成のため、本考案の模擬銃は、ハンマーを引き下げることによりポンプ内にエアを導入するとともにスプリングを圧縮し、トリガーを引くことにより、前記スプリングの圧縮を解除して前記エアを圧縮して、圧縮エアにより弾丸を発射する模擬銃であって、前記ハンマーは使用者が親指を載せる指載部を有し、当該指載部は、銃身の方向に対して垂直方向の幅が１４ｍｍ以上であることを特徴とする。
【００１２】
また、本考案の前記指載部は、前記銃身の方向に沿って縦長に構成されて、前記親指の腹を載置して前記ハンマーの引き下げが可能であることを特徴とする。
【００１３】
また、本考案の前記模擬銃は、前記弾丸を収納するシリンダーを有し、当該シリンダーは当該シリンダーの銃口側に配されたヨーク及び当該シリンダーのハンマー側に配されたラッチに固定されたボルトを介して前記模擬銃本体の内部に軸支され、かつ、前記ラッチを前記銃口とは反対方向にスライドすることにより、前記ボルトを前記反対方向に退避させて前記ボルトによる前記シリンダーの軸支を解除して、前記ヨークを介して前記模擬銃本体の外部に移動可能に構成され、前記ラッチ及び前記ボルトは、前記銃口の方向に対してバネによりともに付勢され、当該バネの付勢力は、前記シリンダーが前記模擬銃本体の外部に位置した状態で、前記模擬銃のグリップを片手で握り、前記シリンダーが前記模擬銃本体の内部において前記軸支される位置の方向にスナップを効かせて手首を振ると、前記シリンダーが前記軸支される位置に向かってスイングしつつ、前記シリンダーの一部が前記ラッチに抵触して、当該ラッチ及び前記ボルトが前記銃口とは反対方向に押しのけられて退避し、前記軸支される位置において、前記シリンダーの一部の前記ボルト及び前記ラッチへの抵触がなくなることにより、前記ラッチ及び前記ボルトが前記銃口方向にスライドして、前記シリンダーを前記ボルトが軸支することが可能な付勢力であることを特徴とする。
【００１４】
また、本考案の前記シリンダーは、前記銃口方向とは反対側の面の回転中心部に前記ボルトが嵌挿されて回転可能に軸支される凹部を有し、かつ、前記ボルトは円柱状に構成された突部によって構成され、当該突部の側面の先端側が面取りされて構成されることを特徴とする。
【考案の効果】
【００１５】
本考案の模擬銃によれば、例えば、１０歳といった年少者であっても、比較的に片手で扱いやすく、片手で模擬弾を比較的に発射しやすい。
【００１６】
即ち、本考案の模擬銃によれば、ハンマーは使用者が親指を載せる指載部を有し、指載部は、銃身の方向に対して垂直方向の幅が１４ｍｍ以上であるため、例えば、10歳といった年少者においても片手の親指で効率よくハンマーに力を加えることが可能であり、年少者でも片手でハンマーを引き下げて、その片手の人差し指によりトリガーを引くことで、片手で模擬弾を比較的に発射しやすい。
【００１７】
そのため、映画等の登場人物のように年少者であっても、片手で模擬銃から模擬弾を比較的に発射しやすく、年少者の欲求を満たしやすい。
【００１８】
また、本考案の指載部は、銃身の方向に沿って縦長に構成されて、親指の腹を載置して前記ハンマーの引き下げが可能であることから、親指の腹の形状に沿って指載部が形成されて、効率よく親指の腹からハンマーへと力を伝達でき、このことからも、年少者でも片手でハンマーを引き下げて、その片手の人差し指によりトリガーを引くことで、片手で模擬弾を発射可能とすることを比較的に容易にすることが可能であり、年少者の片手で模擬銃を操作するという欲求を満たしやすい。
【００１９】
また、本考案の前記模擬銃によれば、ラッチ及びラッチに固定されたボルトが、銃口の方向に対してバネによりともに付勢されている。このバネの付勢力は、シリンダーが模擬銃本体の外部に位置した状態で、模擬銃のグリップを片手で握り、シリンダーが模擬銃本体の内部においてボルトにより軸支される位置の方向にスナップを効かせて手首を振ると、シリンダーが前記軸支される位置に向かってスイングしつつ、シリンダーの一部がラッチに抵触して、ラッチ及びボルトが銃口とは反対方向に押しのけられて退避し、ボルトに軸支される位置において、シリンダーの一部の抵触がなくなることにより、ラッチ及びボルトが銃口方向にスライドして、シリンダーを軸支することが可能な付勢力となっているため、片手でシリンダーを模擬銃本体に戻すこと（スイングイン動作）が比較的に容易である。
【００２０】
そのため、映画等の登場人物のように年少者であっても、片手でシリンダーを模擬銃本体に戻すことが可能であり（スイングインすることが可能であり）、年少者の欲求を満たしやすい。
【００２１】
さらに、本考案の模擬銃によれば、シリンダーは、銃口方向とは反対面の回転中心部にボルトが嵌挿されて回転可能に軸支される凹部を有し、かつ、ボルトは円柱状に構成された突部によって構成され、突部の側面の先端側が面取りされて構成されていることから、より容易に片手によるスイングイン動作を実現しやすい。
【００２２】
このことによって、年少者であっても片手で、シリンダーのスイングインから、ハンマーを引き下げ、トリガーを引くまでの一連の動作を片手のみで比較的に実現しやすく、映画等の登場人物のように、年少者であっても、片手で模擬銃を操作して模擬弾を比較的に発射しやすくすることが可能であって、年少者の欲求を満たしやすい。
【図面の簡単な説明】
【００２３】
【図１】本考案の模擬銃のハンマー部分を中心として示す平面図である。
【図２】図１の模擬銃についてシリンダーを模擬銃本体の外部に位置させた状態を使用者の片手とともに示した説明図である。
【図３】図２の状態からシリンダーをスイングインさせた状態の説明図である。
【図４】図１の状態の模擬銃について銃口方向から見た説明図である。
【図５】図４の状態の模擬銃の側面図である。
【図６】図４の状態の模擬銃の平面図である。
【図７】図３の状態の模擬銃の側面図である。
【考案を実施するための形態】
【００２４】
以下、図面を参照して、本考案による模擬銃を実施するための形態について説明する。
【００２５】
本考案の模擬銃は、考案の模擬銃によれば、例えば、１０歳といった年少者であっても、比較的に容易に片手で扱え、片手でのシリンダーの本体への格納動作（スイングイン）、片手でのハンマーの引き下げ、片手でトリガーを引くことを比較的に行いやすくして、片手での模擬弾の発射を比較的に容易にしたものである。
【００２６】
［模擬銃の構成］
模擬銃の概要を図1乃至図４を用いてまず説明する。図１は、本考案の模擬銃のハンマー部分を中心として示す平面図である。図２は、図１の模擬銃についてシリンダーを模擬銃本体の外部に位置させた状態を使用者の片手とともに示した説明図である。図３は、図２の状態からシリンダーをスイングインさせた状態の説明図である。図４は、図１の状態の模擬銃について銃口方向から見た説明図である。
【００２７】
本実施の形態における模擬銃１は、エアガンと称されるものであり、ハンマー３を引き下げることにより模擬銃１の本体２（図４）のポンプ（図示せず）内にエアを導入するとともに、スプリング（図示せず）を圧縮し、トリガー５を引くことにより、スプリングの圧縮を解除して、スプリングの蓄圧を開放することにより、ポンプ内のエアを圧縮して圧縮エアを生成し、この圧縮エアで球状かつ樹脂等によって構成された模擬弾（図示せず）を発射するものである。
【００２８】
図２、図４及び図５に示すように、模擬銃１の本体２には、フレーム２ａに囲まれた開口部２ｂに収納可能なシリンダー６が、シリンダー６の回転中心軸となるロッド９及びロッド９と本体２を連結するヨーク８を介して、移動可能に配されている。
【００２９】
シリンダー６は、ロッド９及びヨーク８を介して、図１及び図３に示すように、本体２に収納された状態の他、図２、図４及び図５に示すように、本体２の外に位置する状態との間で、銃身１１の方向に対して垂直方向、即ち、模擬銃１の側面方向に移動可能である。
【００３０】
図２乃至図４に示すように、銃身１１の先端には銃口１２が配され、模擬銃１から発射される模擬弾は、カートリッジ（図示せず）内に仮止めされ、そのカートリッジは、シリンダー６の銃口側の面６ａから銃口側との反対面６ｃにかけて貫通する弾倉６ｅの内部に格納される。
【００３１】
図２の円形の拡大部分に示すように、シリンダー６の銃口１２側の反対面６ｃの回転中心には、円盤状の空間に中心が凹んだ凹部６ｆが形成されており、凹部６ｆの周囲には、凹部６ｆから放射状に外側に線状に延び、凹部６ｆと面一の突部からなるラチェット６ｄが弾倉６ｅの数に応じて設けられている。
【００３２】
図４の円形の拡大部分に示すように、シリンダー６が本体２に収納された場合に、シリンダー６の銃口１２側との反対面６ｃと対向する部分に、円盤状の突部から構成されるボルト１７が配されている。
【００３３】
ボルト１７は、その側方に設けられた、即ち、本体２のフレーム２ａの側面に設けられたラッチ７と、フレーム２ａの内部において連結固定されており（連結構造は図示せず）、ともに銃身１１の方向に沿ってスライド可能に構成されている。
【００３４】
即ち、ボルト１７及びラッチ７はともに、銃口１２側へ前進又は銃口１２とは反対側に後退可能に構成されており、互いに連結固定されたボルト１７とラッチ７は、フレーム２ａの内部において常時、銃口１１方向にバネ（図示せず）により付勢されている。ボルト１７とラッチ７のスライド方向をＤ１の矢印として図４の拡大部に示す。
【００３５】
ボルト１７は、シリンダー６が本体２に収納された場合、シリンダー６の凹部６ｆに嵌挿されて、シリンダー６ｆを回転可能に軸支して固定するものであり、凹部６ｆとボルト１７は、シリンダー６が本体２の内部に収納された状態で対向するように（嵌挿されるように）互いに配されている。
【００３６】
ラッチ７は、図３乃至図５に示すように、ローマ文字の大文字の「Ｔ」の字を９０°左に回転した如き形状をなし、「Ｔ」の字の末端部に相当する位置に指掛け部７ｂを配して、模擬銃１の使用者が指掛け部７ｂに指を掛けて、銃口１２と反対方向にラッチ７をスライドすることにより、ラッチ７自体及びラッチ７に連結固定されたボルト１７を銃口１２と反対方向にスライド可能に構成されている。
【００３７】
また、ラッチ７は、「Ｔ」の傘に当たる部分に凹状に凹んだ抵触部７ａが表面に設けられている。シリンダー６が本体２の外部に位置する状態から、本体２の内部に収納される状態に移行するにあたり、シリンダー６のラチェット６ｄがラッチ７の抵触部７ａに抵触して、その抵触により、ラッチ７及び連結固定されるボルト１７が銃口と反対方向に自動でスライドする構成となっている。
【００３８】
ボルト１７の上方には、シリンダー６の銃口側との反対面６ｃの弾倉６ｅに対抗し得る位置にエア噴出口１５が配されている。このエア噴出口１５から、圧縮エアが噴出して、弾倉６ｅ内のカートリッジに仮止めされた模擬弾がカートリッジから飛び出し、銃身１１を通過し、銃口１２から発射される。
【００３９】
ボルト１７の側方のやや下方には、送り爪１６が配されている。さらにその送り爪１６の下方にも、もう一つの送り爪１６が配されている。この２つの送り爪１６は、トリガー５に連動して、トリガー５を引くと、図４の拡大部のＤ２の矢印に示すように、銃口１２方向に一時前進しつつ、上方に移動可能し、その後、当初の位置に戻るように構成されている。
【００４０】
シリンダー６が本体２の内部に収納された状態で、トリガー５が引かれることにより、２つの送り爪１６がＤ２方向に移動することによって、２つの送り爪１６がシリンダー６の回転中心を軸支するボルト１７の周囲に位置することから、２つの送り爪１６がシリンダー６の隣り合うラチェット６ｄ各々に引っかかり、シリンダー６を回転させて、シリンダー６の次の弾倉６ｅが、エア噴出口１５の正面に位置するまで回転されることとなる。
【００４１】
また、トリガー５とハンマー３とは、本体２の内部で連結されており（連結構造は図示せず）、ハンマー３が引き下げられることにより、トリガー５も途中まで引かれた状態となり、その状態でさらにトリガー５を使用者が引くと、ハンマー３によって圧縮されたスプリング（図示せず）の蓄圧が解放されて、模擬弾が発射される。また、その後、ハンマー３はスプリングの解放により、スプリングが基の形状に戻るのに連動して当初の位置に復帰する。
【００４２】
尚、ハンマー３が引かれていない状態で、トリガー５のみを引くと、シリンダー６が次の弾倉６ｅがエア噴出口１５の正面に位置するまで回転し、図示しないバネの付勢力により、自ずと最初の位置に復帰のみする。
【００４３】
［模擬銃の動作］
模擬銃の動作について説明する。図６及び図７をも加えて説明する。図６は、図４の状態の模擬銃の平面図である。図７は、図３の状態の模擬銃の側面図である。
【００４４】
まず、図１及び図７の状態において、シリンダー６の弾倉６ｅ内に模擬弾が入っていない場合（模擬弾が仮止めされたカートリッジが入っていない場合）、使用者は、ラッチ７の指掛け部７ｂを銃口１２とは反対側にスライドさせることにより、ラッチ７及びボルト１７を銃口１２とは反対側にスライドさせて、ボルト１７がシリンダー６の凹部６ｆに嵌挿された軸支状態を解除する。
【００４５】
その際、使用者は、シリンダー６の側面６ｂを、図１のＤ３に示す方向に押すことで、図２、図５及び図６に示すように、シリンダー６が同Ｄ３方向に移動し、本体２の外部に位置した状態となる。この場合、ラッチ７及びボルト１７が使用者の指掛け部７ｂを利用した銃口１２とは反対方向へのスライドにより後退しているため、シリンダー６のラチェット６ｄと面一の凹部６ｆがボルト１７の先端部１７ａ側及びラッチ７に抵触することなく、シリンダー６がスムーズに本体２の外部へ移動可能である。
【００４６】
次に、シリンダー６が本体２の外部に位置する状態で、弾倉６ｅに模擬弾が仮止めされたカートリッジ（図示せず）を詰め、その後、シリンダー６を再び本体２の開口部２ｂの内部へと戻す。この場合、図２の矢印Ｄ４に示す方向にシリンダー６を移動させることによって、図３の如く、シリンダー６を本体２の内部に戻すことが可能である。
【００４７】
この際、図１、図５、図６及び図７に示すように、シリンダー６のラチェット６ｄ及び凹部６ｆは、ラッチ７の一部に抵触してしまう。しかしながら、ラッチ７において、ラチェット６ｄ及び凹部６ｆと抵触する位置には、前述の抵触部７ａが形成され、抵触部７ａが凹状に凹んでいることから、ラチェット６ｄを無理なく抵触させて、その抵触により、ラッチ７及び連結固定されるボルト１７を銃口１２とは反対方向に抵触により押されてスライド可能であり、ラッチ７及びボルト１７の退避により、シリンダー６のラチェット６ｄが抵触しながらも、シリンダー６が本体２の開口部２ｂの内部へと再び収納される。
【００４８】
シリンダー６が本体２の開口部２ｂへの再び収納されるにあたり、シリンダー６の回転中心軸が、ボルト１７の軸の中心に対向する位置まで移動すると、ラチェット６ｄ及び凹部６ｆと抵触する物体がなくなるため、即ち、ラチェット６ｄ及び凹部６ｆと、ラッチ７（の抵触部７ａ）及びボルト１７との抵触がなくなるため、ラッチ７及びボルトへ１７へのバネによる銃口１２方向への付勢により、ラッチ７及びボルトへ１７が前進し、再びボルト１７がシリンダー６の凹部ｆが嵌挿し軸支されてシリンダー６が回転可能に固定される。
【００４９】
その後、図３に示すように、使用者はハンマー３を引き下げることにより、模擬銃１の本体２（図４）のポンプ（図示せず）内にエアを導入するとともに、スプリング（図示せず）を圧縮する。
【００５０】
トリガー５とハンマー３とは、本体２の内部で連結されており（連結構造は図示せず）、ハンマー３が引き下げられることにより、トリガー５も途中まで引かれた状態となり、その状態でさらにトリガー５を使用者が片手３０の人差し指で引くと、ハンマー３によって圧縮されたスプリング（図示せず）の蓄圧が解放されて、模擬弾が発射され、銃身１１及び銃口１２を通過して模擬銃１から発射される。
【００５１】
この際、ハンマー３によって、トリガー５がハンマー３の引き下げにより、連動して引かれることにより、２つの送り爪１６が図４のＤ２方向に移動することによって、２つの送り爪１６がシリンダー６の隣り合うラチェット６ｄ各々に引っかかり、シリンダー６を回転させて、シリンダー６の次の弾倉６ｅが、エア噴出口１５の正面に位置するまで回転されることとなり、その位置で模擬弾が発射されることとなる。
【００５２】
模擬弾が発射された後に、再度ハンマー３を引き下げると、トリガー５が連動するため、送り爪１６の動作によってラチェット６ｄを介してシリンダー６が回転し、次の弾倉６ｅがエア噴出孔口１５に相対する位置に移動し、再度、模擬弾が発射可能な状態となり。弾倉の模擬弾が無くなるまでこの模擬弾発射動作を繰り返し可能である。
【００５３】
［ハンマーの構成及び作用］
図１及び図２を用いてハンマーの構成及び作用について説明する。
【００５４】
図１及び図２に示すように、ハンマー３は、模擬銃１において、銃身１１に対して銃口１２と反対側の本体２のフレーム２ａに配されており、使用者が親指で引き下げて、模擬銃１のグリップ１８の内部のスプリング（図示せず）を圧縮する。
【００５５】
ハンマー３の先端部には、使用者が親指を載せる平坦な指載部３ａが形成されている。指載部３ａは、銃身の方向に対して垂直方向の最も幅広の部分の幅が１４ｍｍ以上と非常に大型に構成されている。指載部３ａは、銃身の方向に対して垂直方向の最も幅広の部分の幅を、図１のＷとして示す。
【００５６】
また、指載部３ａは、銃身１１の方向に沿って縦長に構成されて、載置してハンマー３を引き下げる親指がフィットしやすい構成となっている。また、指載部３ａの表面には、親指を掛けやすくするため、微細な凹凸（図１の指載部３ａのハッチング部分）や、シボ加工といった滑り止め加工が施される。
【００５７】
指載部３ａは、図３に示すように、片手３０で模擬銃１のグリップ１８を握り、その状態のまま、親指を破線で示す親指３０ａのように指載部３ａに載せ、そのまま片手でハンマー３を引き下げやすい構成となっている。
【００５８】
即ち、本考案の考案者は、年少者であっても、グリップ１８を握った片手３０の親指３０ａでハンマー３を可能な限りそのまま引き下げることを可能とするべく、試行錯誤の結果、指載部３ａを、銃身の方向に対して垂直方向の最も幅広の部分の幅を１４ｍｍ以上とした非常に大型に構成することで実現が可能となることを見出した。
【００５９】
さらに、指載部３ａを、銃身１１の方向に沿って縦長に構成することで、ハンマー３を引き下げる親指がフィットしやすい構成となり、さらに容易にそのまま片手３０の綾指でハンマー３引き下げやすくなることを見出した。
【００６０】
これは、通常、模擬銃は実銃の形態を倣うことが通常であり、実銃におけるハンマーは、カートリッジ内に充填された火薬を起爆させる機能を担っており、年少者の使用を想定しているものではないことから、ハンマーの指載部は銃身の方向に対して垂直方向が幅狭に構成されている。
【００６１】
しかしながら、実銃通りに、模擬銃１のハンマー３の指載部３ａを構成すると年少者は、模擬銃１のグリップ１８を握った片手３０の親指３０ａでそのままハンマー３を引き下げてスプリングの圧縮動作をすることが困難である。
【００６２】
ここで、考案者は、模擬銃１を使用する年少者の最低年齢が１０歳であることが多いことに着目し、１０歳児であっても、ハンマー３をなるべく引き下げやすい構成について試行錯誤を行った。
【００６３】
その結果、社団法人日本機械工業連合会及び社団法人人間生活工学研究センターの発行する「平成２０年度機械製品の安全性向上のための子どもの身体特性データベースの構築及び人体損傷状況の可視化シミュレーション技術の調査研究報告書」においては、１０歳児の第１指爪基部幅（親指の爪の付け根の幅）は、１６ｍｍ程度との調査結果が開示されている。
【００６４】
その点をも考慮して考案者は試行錯誤を行った結果、考案者は指載部３ａの銃身１１の方向に対して垂直方向の幅を１４ｍｍ以上と大型にすることにより、１０歳児であっても、親指３０ａの腹を介してハンマー３に力を加えて引き下げやすくなることを見出したものである。
【００６５】
即ち、図１の縦長長円形の抜出し部分において、親指３０ａを指載部３ａに載置した状態を示した如く、考案者は指載部３ａの銃身１１の方向に対して垂直方向の幅（Ｗ）を１４ｍｍ以上といったように、親指３０ａの爪３０ａ１の付け根の幅（親指基部爪幅をＷＳで示す。）とほぼ同等の幅を確保することにより、１０歳児であっても、親指３０ａの腹を介してハンマー３に力を加えて引き下げやすくなることを見出したものであり、試行錯誤の結果、Ｗが１４ｍｍ程度、最低限確保されることにより、ハンマー３を引き下げることが比較的に容易になるとの結論に至った。
【００６６】
これにより、年少者であっても、片手３０で模擬銃１のグリップ１８を握り、その状態のまま、親指３０ａを指載部３ａに載せ、そのまま片手３０でハンマー３をなるべく引き下げやすい構成が実現される。
【００６７】
また、指載部３ａの銃身１１の方向に対して垂直方向の幅を１４ｍｍ以上２２ｍｍ以下にすることにより、指載部３ａの外観自体をも実銃同様にスマートに保ち、模擬銃１の全体の外観を実銃同様の雰囲気を保つことが可能である。
【００６８】
［片手でのシリンダーのスイングイン動作］
図２及び３を用いて片手でのシリンダーのスイングイン動作について説明する。
【００６９】
尚、スイングイン動作とは、図２のように、シリンダー６が本体２の外部に位置する状態で、グリップ１８を握った片手３０の手首３０ｂを利用して、スナップを効かせて本体２を図２のＤ４で示す矢印の方向に振る（スイングする）と、片手３０の動作のみでシリンダー６が模擬銃１の本体２に戻ることを意味する。
【００７０】
この場合、模擬銃１のラッチ７及びボルト１７は、互いに連結固定されて連動し、銃口１２の方向に対して図示しないバネによりともに付勢されている。
【００７１】
このバネの付勢力は、図２のように、シリンダー６が本体２の外部に位置した状態で、模擬銃１のグリップ１８を片手３０で握り、シリンダー６が本体２の内部の開口部２ｂにおいて軸支される位置の方向（図２のＤ４の方向）にスナップを効かせて手首３０ｂを振る（スイングする）と、シリンダー６が本体２の内部で軸支される位置に向かって移動（スイング）しつつ、シリンダー６の一部であるラチェット６ｄがラッチ７の抵触部７ａに抵触して、ラッチ７及びボルト１７が銃口１２とは反対方向に押しのけられて退避し、シリンダー６が軸支される位置において、ラチェット６ｄ及び凹部６ｆと、ラッチ７及びボルト１７の抵触がなくなることにより、ラッチ７及びボルト１７が銃口１２の方向にスライドして、ボルト１７がシリンダー６を軸支することが可能な付勢力となっている。
【００７２】
即ち、前記図示しないバネの付勢力は、模擬銃１のグリップ１８を片手３０で握り、シリンダー６を図２のＤ４の方向にスナップを効かせて手首３０ｂを振る（スイングする）と、シリンダー６が本体２の内部で軸支される位置に向かって移動（スイング）しつつ、シリンダー６がラッチ７及びボルト１７に抵触しつつも最終的に、本体２の開口部２ｂ内に収納され、ボルト１７に軸支されるようシリンダー６の自重等を考慮して所望の値に設定される。
【００７３】
バネの付勢力が強すぎる場合は、ラッチ７及びボルト１７がシリンダー６のラチェット６ｄに強く抵触して、模擬銃１のグリップ１８を握る片手以外のもう一方の片手でシリンダー６を本体２の内部に押し込まなくてはならないからである。
【００７４】
また、ボルト１７は、円柱状の突部の側面の先端部１７ａ側が面取りされて面取り部１７ｂが構成されている。これにより、模擬銃１のグリップ１８を片手３０で握り、シリンダー６を図２のＤ４の方向にスナップを効かせて手首３０ｂを振る（スイングする）と、シリンダー６が本体２の内部で軸支される位置に向かって移動（スイング）しつつ、シリンダー６がラッチ７及びボルト１７に抵触しつつも最終的に、本体２の開口部２ｂ内に収納され、ボルト１７が銃口１２の方向にスライド（前進）する。この前進の際、面取り部１７ｂの存在により凹部６ｆにボルトが仮に抵触した場合でも、シリンダー６の凹部６ｆにスムーズに無理なくボルト１７が面取り部１７ｂにガイドされて進入して嵌挿することが可能である。
【００７５】
従って、図２及び図３のように、シリンダー６が本体２の外部に位置する状態で、グリップ１８を握った片手３０の手首３０ｂを利用して、スナップを効かせて本体２を図２のＤ４で示す矢印の方向に振る（スイングする）と、片手３０の動作のみでシリンダー６が模擬銃１の本体２に戻るスイングイン動作がなされる。
【００７６】
このことによって、図２及び図３のように、年少者であっても片手３０で、シリンダー６のスイングインから、ハンマー３を引き下げ、トリガー５を引くまでの一連の動作を片手３０のみで実現しやすくして、映画等の登場人物のように、年少者であっても、片手で模擬銃１を操作して模擬弾を発射することを比較的に容易としたため、年少者の欲求を満たしやすい。
【００７７】
この考案は、その本質的特性から逸脱することなく数多くの形式のものとして具体化することができる。よって、上述した実施形態は専ら説明上のものであり、本考案を制限するものではないことは言うまでもない。
【符号の説明】
【００７８】
１        模擬銃
２        本体
２ａ      フレーム
２ｂ      開口部
３        ハンマー
３ａ      指載部
５        トリガー
６        シリンダー
６ａ      銃口側の面
６ｂ      側面
６ｃ      銃口側との反対面
６ｄ      ラチェット
６ｅ      弾倉
６ｆ      凹部
７        ラッチ
７ａ      抵触部
７ｂ      指掛け部
８      ヨーク
９      ロッド
１１    銃身
１２    銃口
１５    エア噴出口
１６    送り爪
１７    ボルト（突部）
１７ａ  先端部
１７ｂ  面取り部
１８  グリップ
３０    片手
３０ａ    親指
３０ａ１  爪
３０ｂ    手首
Ｗ        指載部の幅
ＷＳ      親指爪基部幅
【図１】
0003207942.tif 000003
【図２】
0003207942.tif 000004
【図３】
0003207942.tif 000005
【図４】
0003207942.tif 000006
【図５】
0003207942.tif 000007
【図６】
0003207942.tif 000008
【図７】
0003207942.tif 000009